(57)【要約】【課題】  インターホン子機から特定のインターホン親機が呼び出されている時に、呼出先に設定されていないインターホン親機からであっても担当者であれば応答することができる。【解決手段】  制御機３は、子機と当該子機からの呼び出しに対して応答を担当する担当者との関係を記憶する子機・担当者情報記憶部１９ａと、親機２と担当者との関連付けを記憶する親機・担当者情報記憶部１９ｂとを有し、子機から呼び出しが成されたら子機・担当者情報記憶部１９ａと親機・担当者情報記憶部１９ｂの情報に基づいて、当該子機１を担当している担当者に関係付けられている親機２に対して呼び出しを実施する。制御機ＣＰＵ２３は、他のインターホン親機が呼び出されている時に、他の親機から呼出中の親機に関連付けられている担当者ＩＤの入力を含む所定の転送操作を受けたら、転送操作を受けた親機に呼び出しを転送する。【選択図】  図３
2010130335.tif 000002
【特許請求の範囲】
【請求項１】
複数のインターホン子機と、複数のインターホン親機と、前記インターホン子機とインターホン親機との間の通信を制御する制御機とを備えたインターホンシステムであって、
前記制御機は、前記インターホン子機と当該インターホン子機からの呼び出しに対して応答を担当する担当者との関係を記憶する子機・担当者情報記憶部と、
前記インターホン親機と前記担当者との関連付けを記憶する親機・担当者情報記憶部と、
前記インターホン子機から呼び出しが成されたら、前記子機・担当者情報記憶部と前記親機・担当者情報記憶部の情報に基づいて、特定のインターホン親機に対して呼び出しを実施する呼出制御部とを有する一方、
前記インターホン親機は、他のインターホン親機が呼び出されている時に、その呼び出しを自身に転送させる転送操作部を有し、
前記呼出制御部は、前記転送操作部から前記呼出中の前記インターホン親機に関連付けられている担当者情報の入力を含む所定の転送操作が成されたら、前記転送操作されたインターホン親機に呼び出しを転送することを特徴とするインターホンシステム。
【請求項２】
前記制御機は、前記転送操作を受けたインターホン親機が、引き続き所定の登録操作を受けたら、前記親機・担当者情報記憶部を書き換える転送登録制御部を有し、
前記転送登録制御部は、前記登録操作を受けて、転送された前記インターホン親機を、呼出操作を受けた前記インターホン子機を担当する担当者に関連付けるよう前記親機・担当者情報記憶部を書き換えることを特徴とする請求項１記載のインターホンシステム。
【請求項３】
複数のインターホン子機と、複数のインターホン親機と、前記インターホン子機とインターホン親機との間の通信を制御する制御機とを備えたインターホンシステムであって、
前記制御機は、前記インターホン子機と当該インターホン子機からの呼び出しに対して応答を担当する担当者との関係を記憶する子機・担当者情報記憶部と、
前記インターホン親機と前記担当者との関連付けを記憶する親機・担当者情報記憶部と、
前記インターホン子機から呼び出しが成されたら、前記子機・担当者情報記憶部と前記親機・担当者情報記憶部の情報に基づいて、特定のインターホン親機に対して呼び出しを実施する呼出制御部と、
前記インターホン親機からの書換操作を受けて、前記親機・担当者情報記憶部の書き換えを実施する書換制御部とを有する一方、
前記インターホン親機は、前記親機・担当者情報記憶部の書換を操作する書換操作部を有し、
前記書換制御部は、前記書換操作部から担当者情報の入力を含む所定の書換操作が成されたら、入力された当該担当者情報及び書換操作を受けたインターホン親機の情報を基に、前記親機・担当者情報記憶部を書き換えて、書換操作を受けた前記インターホン親機を入力された前記担当者情報に対応する担当者に関連付けることを特徴とするインターホンシステム。
【発明の詳細な説明】
【技術分野】
【０００１】
本発明は、複数のインターホン子機及びインターホン親機を備えたインターホンシステムに関し、特に個々のインターホン子機からの呼び出しが通知されるインターホン親機が指定されているインターホンシステムに関する。
【背景技術】
【０００２】
従来の複数のインターホン子機とインターホン親機を備えたインターホンシステムとして、例えば特許文献１、或いは特許文献２に示すインターホンシステムがある。特許文献１に開示されたインターホンシステムでは、インターホン子機毎に呼び出しを通知するインターホン親機が指定されており、インターホン親機の操作で他のインターホン親機に呼び出しを転送する設定や、他のインターホン親機への呼び出しを自身のインターホン親機へ転送させる設定が可能となっている。
また、引用文献２に開示されたインターホンシステムでは、インターホン子機とインターホン親機の間に中継アダプタ装置を設置することで、複数のインターホン子機とインターホン親機の間の通信、及びインターホン親機間の通信をインターホン親機の構成を複雑にすること無く実施可能としている。
【０００３】
【特許文献１】特開２００６−１０１１９７号公報
【特許文献２】特開２００４−３０４５５１号公報
【発明の開示】
【発明が解決しようとする課題】
【０００４】
上記特許文献１のインターホンシステムの場合、インターホン子機からの呼び出しに対して、全てのインターホン親機で呼び出しが報音されることがないので、インターホン親機での不要な呼び出しを無くすことができ、居住者或いは操作者の負担を軽減できる。また、予め転送設定すれば特定のインターホン親機への呼び出しを、他のインターホン親機へ転送させて応答することはでき、不在にする場合に便利であった。
しかし、特定の人或いは家族専用のインターホン親機となっている状態は変わらず、転送設定する場合は、多数ある親機の選択操作から行う必要があり、面倒な操作となっていた。また、転送操作をし忘れたインターホン親機に対して、インターホン子機からの呼び出しが成されている時に、その呼び出しを他の応答が可能なインターホン親機の操作で自身に転送することができなかった。そのため、呼び出されたインターホン親機の関係者が別の場所で、自身への来訪者に気づいても、身近にあるインターホン親機で応答できず、歯がゆい思いをする場合があった。
【０００５】
また、中継アダプタ装置を設けた構成の場合、インターホン機器の増設は容易であるが、やはり転送操作は面倒であったし、インターホン子機からの呼び出しが不在と成っているインターホン親機に対して成されている場合に、そのインターホン子機からの呼び出しを、応答可能な他のインターホン親機からの操作で自身に転送操作することができない同様の問題を有していた。
【０００６】
そこで、本発明はこのような問題点に鑑み、インターホン子機から特定のインターホン親機が呼び出されている時に、呼出先に設定されていないインターホン親機からであっても担当者であれば応答することができ、また、呼出先の設定変更を容易に実施できるインターホンシステムを提供することを目的としている。
【課題を解決するための手段】
【０００７】
上記課題を解決する為に、請求項１の発明は、複数のインターホン子機と、複数のインターホン親機と、インターホン子機とインターホン親機との間の通信を制御する制御機とを備えたインターホンシステムであって、制御機は、インターホン子機と当該インターホン子機からの呼び出しに対して応答を担当する担当者との関係を記憶する子機・担当者情報記憶部と、インターホン親機と担当者との関連付けを記憶する親機・担当者情報記憶部と、インターホン子機から呼び出しが成されたら、子機・担当者情報記憶部と親機・担当者情報記憶部の情報に基づいて、特定のインターホン親機に対して呼び出しを実施する呼出制御部とを有する一方、インターホン親機は、他のインターホン親機が呼び出されている時に、その呼び出しを自身に転送させる転送操作部を有し、呼出制御部は、転送操作部から呼出中のインターホン親機に関連付けられている担当者情報の入力を含む所定の転送操作が成されたら、転送操作されたインターホン親機に呼び出しを転送することを特徴とする。
【０００８】
この構成によれば、任意のインターホン子機からの呼び出しに対してインターホン子機毎に関連付けられているインターホン親機にのみ呼び出しが通知される。そして、移動先で自身が担当するインターホン子機からの呼び出しがあった場合は、身近なところにあるインターホン親機に自身のＩＤ等を入力すれば呼び出しを転送させることができ、自身が関連付けられているインターホン親機まで戻ること無く呼び出しに応答することができる。よって、予め転送設定しなくても、呼び出しがあった時点で転送でき便利である。
また、転送操作はＩＤ等の担当者情報の入力を必要とするので、他人が応答する事が無く、転送可能であってもセキュリティを維持できる。
このようなシステムは、学校等の施設において担当者が特定の場所に留まることが少ないような場合に都合がよく、自身が担当するインターホン親機から離れていても移動先にあるインターホン親機を使用して担当するインターホン子機からの呼び出しに応答することができ、使い勝手が良い。
【０００９】
請求項２の発明は、請求項１に記載の発明において、制御機は、転送操作を受けたインターホン親機が、引き続き所定の登録操作を受けたら、親機・担当者情報記憶部を書き換える転送登録制御部を有し、転送登録制御部は、登録操作を受けて、転送されたインターホン親機を、呼出操作を受けたインターホン子機を担当する担当者に関連付けるよう親機・担当者情報記憶部を書き換えることを特徴とする。
この構成によれば、担当者が移動先にしばらく居続ける場合等、転送操作の際に合わせて親機・担当者情報記憶部を書き換えて呼び出し先を変更でき、簡易な操作で呼出先の変更を実施できる。
【００１０】
請求項３の発明は、複数のインターホン子機と、複数のインターホン親機と、インターホン子機とインターホン親機との間の通信を制御する制御機とを備えたインターホンシステムであって、制御機は、インターホン子機と当該インターホン子機からの呼び出しに対して応答を担当する担当者との関係を記憶する子機・担当者情報記憶部と、インターホン親機と担当者との関連付けを記憶する親機・担当者情報記憶部と、インターホン子機から呼び出しが成されたら、子機・担当者情報記憶部と親機・担当者情報記憶部の情報に基づいて、特定のインターホン親機に対して呼び出しを実施する呼出制御部と、インターホン親機からの書換操作を受けて、親機・担当者情報記憶部の書き換えを実施する書換制御部とを有する一方、インターホン親機は、親機・担当者情報記憶部の書換を操作する書換操作部を有し、書換制御部は、書換操作部から担当者情報の入力を含む所定の書換操作が成されたら、入力された当該担当者情報及び書換操作を受けたインターホン親機の情報を基に、親機・担当者情報記憶部を書き換えて、書換操作を受けたインターホン親機を入力された担当者情報に対応する担当者に関連付けることを特徴とする。
【００１１】
この構成によれば、任意のインターホン子機からの呼び出しに対してインターホン子機毎に関連付けられているインターホン親機にのみ呼び出しが通知される。そして、担当者により自身の親機・担当者情報記憶部を書き換えることができ、インターホン子機と担当者の関係を保ちつつ、担当者が応答操作するインターホン親機を変更することができる。
更に、この変更操作は、例えば担当者ＩＤを転送先となるインターホン親機に入力する簡易な操作で実施でき、インターホン親機の選択操作等の煩わしい操作を必要としないし、ＩＤ等の担当者情報の入力を必要とするので、他人が容易に変更することができず、セキュリティも維持できる。
【発明の効果】
【００１２】
本発明によれば、移動先で自身が担当するインターホン子機からの呼び出しがあった場合は、身近なところにあるインターホン親機に自身のＩＤ等を入力すれば呼び出しを転送させることができ、自身が関連付けられているインターホン親機まで戻ること無く呼び出しに応答することができる。そのため、予め転送設定しなくても、呼び出しがあった時点で転送でき便利である。更に、転送操作に合わせて呼出先の設定変更ができ、簡易な操作で変更できる。
また、転送操作はＩＤ等の担当者情報の入力を必要とするので、他人が応答する事が無く、セキュリティも維持できる。
【発明を実施するための最良の形態】
【００１３】
以下、本発明を具体化した実施の形態を、図面に基づいて詳細に説明する。図１は、本発明に係るインターホンシステムの構成図であり、居住者や施設内の人物を呼び出して通話するための第１〜第４の複数のインターホン子機１（１ａ〜１ｄ）と、インターホン子機１からの呼び出しに応答するための第１〜第３の複数のインターホン親機２（２ａ〜２ｃ）と、これらの間の通信及び通話を制御するための制御機３と、呼び出しを放送するための放送用スピーカ４等を備えている。
尚、インターホン子機１は、以下単に「子機」と称し、インターホン親機２は、以下単に「親機」と称する。また、子機１、親機２、放送用スピーカ４は、夫々伝送線で制御機３に接続されている。
【００１４】
図２は、親機２の主要部の回路ブロック図を示し、子機１に備えられたカメラ６（図１に示す）が撮像した映像を表示するためのモニタ１０、モニタ１０に表示する映像を制御する映像制御部１１、タッチパネル１２ａや操作ボタンから成り各種操作を行う操作部１２、マイク１３ａ及びスピーカ１３ｂを備えた通話回路１３、制御機３と通信するための親機ＩＦ１４、親機２全体を制御する親機ＣＰＵ１５等を備えている。
【００１５】
図３は、制御機３の主要部の回路ブロック図を示し、呼び出し及び通話を制御する呼出／通話制御部１８、子機１からの呼び出しに対する応答を担当する担当者との関係を記憶する子機・担当者情報記憶部１９ａ、担当者と親機２との関連付けを記憶する親機・担当者情報記憶部１９ｂを具備した設定記憶部１９、子機１と通信するための第１ＩＦ２０、親機２と通信するための第２ＩＦ２１、放送用スピーカ４が接続される第３ＩＦ２２、制御機３全体を制御する制御機ＣＰＵ２３等を備えている。
【００１６】
図４は、設定記憶部１９に記憶された夫々の関係を示すテーブルであり、（ａ）は子機・担当者情報記憶部１９ａのテーブル、（ｂ）は親機・担当者情報記憶部１９ｂのテーブルを示している。子機・担当者情報記憶部１９ａ、及び親機・担当者情報記憶部１９ｂは、共に個々に設定されているＩＤにより関係付けた情報を記憶している。また、図５は、このように設定された子機１と親機２の関係を具体的に示し、矢印が呼び出し先を示している。
【００１７】
以下、呼出／応答制御を具体的に説明する。ここでは、来訪者等により子機１のうちの第１の子機１ａが操作されて呼び出しが行われた場合を説明する。この呼出操作により、第１の子機１ａからＩＤ：Ｋ００１が付加された呼出信号が制御機３に送信される。制御機ＣＰＵ２３は、第１ＩＦ２０を介して呼出信号を受信し、設定記憶部１９の子機・担当者記憶部１９ａを参照して、子機ＩＤに関連付けられている担当者ＩＤ：Ｐ００３を特定する。更に、この担当者ＩＤから親機・担当者情報記憶部１９ｂを参照してＩＤ：Ｍ００２の第２の親機２ｂを特定する。こうして、呼出／通話制御部１８を制御して第１の子機１ａからの呼出信号を、第２ＩＦ２１を介して特定された第２の親機２ｂに対して送信する。第２の親機２ｂは、親機ＩＦ１４を受けて呼出信号を受けた親機ＣＰＵ１５の制御で、スピーカ１３ｂから呼出音が報音される。これにより、近くに該当するＩＤ：Ｐ００３の担当者が居れば呼び出しを認識して応答操作が成される。
【００１８】
しかし、この呼出動作において、席を外す等で第２の親機２ｂの近辺に担当者がおらず、所定時間内に応答操作が成されない場合は、制御機ＣＰＵ２３の制御により、放送用スピーカ４から第１の子機１ａから呼び出しが成された旨の放送が行われる。例えば、「１番玄関に訪問者があります」等のアナウンス音声が制御機３の図示しない音声メモリに予め記憶されており、子機１に対応したアナウンス音声が選択され、第３ＩＦ２２を介して放送用スピーカ４に送信して報音される。
【００１９】
この放送により、自身が担当している子機１から呼び出しを受けていることを担当者（ＩＤ：Ｐ００３の担当者）が認識したら、次の操作により、身近にある例えばＩＤ：Ｍ００３の第３の親機２ｃを使用して応答することができる。具体的に、第３の親機２ｃのタッチパネル１２ａを操作して、担当者ＩＤである「Ｐ００３」の入力を含む転送操作を行う。この場合、呼び出しが発生した時点で、親機ＣＰＵ１５がタッチパネル１２ａに図示しないＩＤ入力ボタンを表示させ、入力操作が可能と成っている。
【００２０】
転送操作を受けた親機ＣＰＵ１５は、入力された担当者ＩＤ情報を含む転送信号を生成して制御機３に送信する。制御機ＣＰＵ２３は、この転送信号を受けて呼出／通話制御部１８を制御して送信元の第３の親機２ｃと呼出操作された第１の子機１ａとの間の通話路を形成する。その結果、第１の子機１ａと第３の親機２ｃとの間で通話路が形成されて通話が可能となる。尚、この転送制御で第２の親機２ｂの呼出報音は停止する。
【００２１】
そして、転送された第３の親機２ｃによる応答が終了し、通話路が遮断されたら、制御機ＣＰＵ２３はこの転送制御をリセットし、子機１からの呼び出しは引き続き設定記憶部１９に記憶されている親機２に対して呼び出し及び接続制御が実施される。この制御により、担当者が直ぐに元の場所へ戻るのであれば、その後も初めの設定状態のまま呼び出しが行われるので便利である。
【００２２】
一方、上記転送操作の際に、引き続きタッチパネル１２ａに表示される登録ボタン（図示せず）を操作すると、親機ＣＰＵ１５の制御により親機・担当者情報記憶部１９ｂを書き換えるための登録信号が制御機３に送信される。ここでは、ＩＤ：Ｍ００３の第３の親機２ｃに関連する担当者としてＩＤ：Ｐ００３が追加登録される。尚、ＩＤ：Ｍ００２の第２の親機２ｂに関連する担当者ＩＤ：Ｐ００３は維持される。こうして、転送操作に乗じて設定の変更を実施できる。
【００２３】
このように、任意のインターホン子機からの呼び出しに対してインターホン子機毎に関連付けられているインターホン親機にのみ呼び出しが通知される。そして、移動先で自身が担当するインターホン子機からの呼び出しがあった場合は、身近なところにあるインターホン親機に自身のＩＤ等を入力すれば呼び出しを転送させることができ、自身が関連付けられているインターホン親機まで戻ること無く呼び出しに応答することができる。よって、予め転送設定しなくても、呼び出しがあった時点で転送でき便利である。
また、転送操作はＩＤ等の担当者情報の入力を必要とするので、他人が応答する事が無く、転送可能であってもセキュリティを維持できる。
更に、担当者が移動先にしばらく居続ける場合等、転送操作の際に合わせて呼び出し先を変更でき、次回の呼び出しから身近にあるインターホン親機に呼び出しが通知されるので、転送操作することなく応答でき便利である。
そして、このようなシステムは、学校等の施設において担当者が特定の場所に留まることが少ないような場合に都合がよく、自身が担当するインターホン親機から離れていても移動先にあるインターホン親機を使用して担当するインターホン子機からの呼び出しに応答することが可能でき、使い勝手が良い。
【００２４】
次に、担当者が移動先において、担当するインターホン子機１からの呼び出しを最寄りのインターホン親機２に通知させるよう予め親機・担当者情報記憶部１９ｂを書き換える設定変更操作を説明する。担当者が自身が担当する親機２のある場所から離れて、別の親機２がある場所にしばらく留まることが分かっている場合は、担当する子機１からの呼び出しを近くにある親機２で応答できるように設定の書換操作ができる。
これは、タッチパネル１２ａを操作して担当者のＩＤの入力を含む所定の書換操作を行うことで実施でき、この書換操作を受けた親機ＣＰＵ１５は、書換信号を生成して制御機３に送信する。制御機ＣＰＵ２３は、この書換信号を受けて書換信号が送出された親機２のＩＤと、書換信号に含まれる担当者ＩＤとを関連付けるよう親機・担当者情報記憶部１９ｂの書き換えを実施し、親機２と担当者の関係が新たに設定される。
【００２５】
例えば、ＩＤ：Ｐ００２の担当者が、ＩＤ：Ｍ００１の第１の親機２ａに変更操作されたら、第１の親機２ａの親機ＣＰＵ１５が、入力された担当者のＩＤ情報と操作された第１の親機２ａのＩＤ情報とを含む変更信号を制御機３に送信する。この変更信号を受信した制御機ＣＰＵ２３は、親機・担当者情報記憶部１９ｂにおいて設定されている親機ＩＤ：Ｍ００１に関連付けられている担当者ＩＤ：Ｐ００１にＩＤ：Ｐ００２を加える変更を行う。この結果、第１の親機２ａには、第２の子機１ｂ、及び第３の子機１ｃの呼び出しが通知されるのに加えて、第４の子機１ｄからの呼び出しも第１の親機２ａに通知される。
【００２６】
このように、担当者により自身の親機・担当者情報記憶部を書き換えることができ、インターホン子機と担当者の関係を保ちつつ、担当者が応答操作するインターホン親機を変更することができる。そのため、呼び出しが発生してから転送制御等すること無く移動先で応答することができ、転送操作する手間及び時間を省くことができる。その結果、放送等で担当者に連絡する時間も短縮でき、訪問者に対しても好ましい状態にできる。また、自身のＩＤを入力する簡単な操作で設定を変更でき、親機を選択して設定する等の手間を必要としないし、ＩＤの入力を必要とするので、他人が容易に変更することができず、セキュリティも維持できる。
【００２７】
尚、上記実施形態は、インターホン子機１が４台、インターホン親機２が３台の場合を説明しているが、夫々の個数は任意であるし、１台の親機２に対して複数の担当者を関連付けても良いのは勿論である。
また、インターホン子機１からの呼び出しに対して速やかな応答が無ければ放送用スピーカ４により担当者に知らせる構成となっているが、全てのインターホン親機２からアナウンスを報音させるだけでもよく、このアナウンスに気づいた担当者は最寄りのインターホン親機２を転送操作して応答することができ、多世帯住宅等にも適用できる。
また、転送や設定変更するための担当者情報の入力は、単にＩＤとしているが、これは担当者別に設定された番号列の入力であっても良いし、担当者イニシャルの入力としても良い。更には担当者名を入力するよう構成しても良い。
【図面の簡単な説明】
【００２８】
【図１】本発明に係るインターホンシステムの一例を示す構成図である。
【図２】図１のインターホン親機の回路ブロック図である。
【図３】図１の制御機の回路ブロック図である。
【図４】設定記憶部の記憶内容を示す表図であり、（ａ）は子機・担当者情報記憶部の内容、（ｂ）は親機・担当者情報記憶部の内容を示している。
【図５】図４の夫々の関係を具体的に示す説明図である。
【符号の説明】
【００２９】
１・・インターホン子機、２・・インターホン親機、３・・制御機、１２・・操作部、１２ａ・・タッチパネル（転送操作部、書換操作部）、１５・・親機ＣＰＵ、１８・・呼出・通話制御部、１９・・設定記憶部、１９ａ・・子機・担当者情報記憶部、１９ｂ・・親機・担当者情報記憶部、２３・・制御機ＣＰＵ（呼出制御部、転送登録制御部、書換制御部）。
【図１】
2010130335.tif 000003
【図２】
2010130335.tif 000004
【図３】
2010130335.tif 000005
【図４】
2010130335.tif 000006
【図５】
2010130335.tif 000007